(57)【要約】【課題】よりユーザの好みに合う画像を撮影する。【解決手段】補正データ取得部５５は、画像の補正に関する補正データを取得し、補正データ記録部３４ｂは、補正データ取得部５５によって取得された補正データを記録し、撮影条件取得部５６は、画像の撮影条件を取得し、補正データ検索部５７は、補正データ記録部３４ｂに記録されている補正データから、撮影条件取得部５６によって取得された撮影条件に対応する補正データを検索し、撮影部３２は、補正データ検索部５７によって検索された補正データに基づいて、画像を撮影する。本発明は、例えば、デジタルカメラに適用することができる。【選択図】図１
2010251817.tif 000002
【特許請求の範囲】
【請求項１】
画像の補正に関する補正データを取得する補正データ取得手段と、
前記補正データ取得手段によって取得された前記補正データを記録する記録手段と、
画像の撮影条件を取得する撮影条件取得手段と、
前記記録手段に記録されている前記補正データから、前記撮影条件取得手段によって取得された前記撮影条件に対応する前記補正データを検索する検索手段と、
前記検索手段によって検索された前記補正データに基づいて、画像を撮影する撮影手段と
を備える撮影装置。
【請求項２】
前記補正データは、前記画像の補正の内容を表す補正パラメータと、前記画像の撮影に関する情報である撮影情報とから構成される
請求項１に記載の撮影装置。
【請求項３】
前記撮影手段によって撮影された前記画像を、前記検索手段によって検索された前記補正データの補正パラメータに基づいて補正する補正手段をさらに備える
請求項２に記載の撮影装置。
【請求項４】
前記検索手段によって検索された前記補正データの前記撮影情報に基づいて、前記撮影手段における撮影パラメータを調整する撮影制御手段をさらに備え、
前記撮影手段は、前記撮影制御手段によって調整された前記撮影パラメータに基づいて、前記画像を撮影する
請求項２に記載の撮影装置。
【請求項５】
前記撮影情報は、前記画像のExif（Exchangeable image file format）情報と、前記画像が撮影されたときの撮影条件とを含むように構成され、
前記撮影制御手段は、前記撮影条件取得手段によって取得された前記撮影条件に対応する前記撮影情報に含まれる前記Exif情報に基づいて、前記撮影手段における撮影パラメータを調整する
請求項４に記載の撮影装置。
【請求項６】
画像の補正に関する補正データを取得する補正データ取得ステップと、
前記補正データ取得ステップの処理によって取得された前記補正データを記録する記録ステップと、
画像の撮影条件を取得する撮影条件取得ステップと、
前記記録ステップにより記録されている前記補正データから、前記撮影条件取得ステップの処理によって取得された前記撮影条件に対応する前記補正データを検索する検索ステップと、
前記検索ステップの処理によって検索された前記補正データに基づいて、画像を撮影する撮影ステップと
を含む撮影方法。
【請求項７】
画像の補正に関する補正データを取得する補正データ取得ステップと、
前記補正データ取得ステップの処理によって取得された前記補正データの記録を制御する記録制御ステップと、
画像の撮影条件を取得する撮影条件取得ステップと、
前記記録制御ステップにより記録されている前記補正データから、前記撮影条件取得ステップの処理によって取得された前記撮影条件に対応する前記補正データを検索する検索ステップと、
前記検索ステップの処理によって検索された前記補正データに基づいて、画像の撮影を制御する撮影制御ステップと
を含む処理をコンピュータに実行させるプログラム。
【発明の詳細な説明】
【技術分野】
【０００１】
本発明は、撮影装置および方法、並びにプログラムに関し、特に、よりユーザの好みに合う画像を撮影することができるようにする撮影装置および方法、並びにプログラムに関する。
【背景技術】
【０００２】
従来、デジタルカメラ等の撮影装置において、ユーザの撮影をアシストする様々な技術が提案されている。
【０００３】
例えば、複数の構図をファインダに表示させて、撮影時に、いずれかの構図をユーザに選択させるカメラがある（特許文献１参照）。
【先行技術文献】
【特許文献】
【０００４】
【特許文献１】特開２００２−１５２５５８号
【発明の概要】
【発明が解決しようとする課題】
【０００５】
しかしながら、上述した構成において、複数の構図はカメラによって自動的に設定されるので、ユーザは、必ずしも好みの構図を選択できるとは限らない。
【０００６】
本発明は、このような状況に鑑みてなされたものであり、特に、よりユーザの好みに合う画像を撮影するようにするものである。
【課題を解決するための手段】
【０００７】
本発明の一側面の撮影装置は、画像の補正に関する補正データを取得する補正データ取得手段と、前記補正データ取得手段によって取得された前記補正データを記録する記録手段と、画像の撮影条件を取得する撮影条件取得手段と、前記記録手段に記録されている前記補正データから、前記撮影条件取得手段によって取得された前記撮影条件に対応する前記補正データを検索する検索手段と、前記検索手段によって検索された前記補正データに基づいて、画像を撮影する撮影手段とを備える。
【０００８】
前記補正データは、前記画像の補正の内容を表す補正パラメータと、前記画像の撮影に関する情報である撮影情報とから構成されるようにできる。
【０００９】
前記撮影装置には、前記撮影手段によって撮影された前記画像を、前記検索手段によって検索された前記補正データの補正パラメータに基づいて補正する補正手段をさらに設けることができる。
【００１０】
前記撮影装置には、前記検索手段によって検索された前記補正データの前記撮影情報に基づいて、前記撮影手段における撮影パラメータを調整する撮影制御手段をさらに設け、前記撮影手段には、前記撮影制御手段によって調整された前記撮影パラメータに基づいて、前記画像を撮影させることができる。
【００１１】
前記撮影情報は、前記画像のExif（Exchangeable image file format）情報と、前記画像が撮影されたときの撮影条件とを含むように構成され、前記撮影制御手段には、前記撮影条件取得手段によって取得された前記撮影条件に対応する前記撮影情報に含まれる前記Exif情報に基づいて、前記撮影手段における撮影パラメータを調整させるようにできる。
【００１２】
本発明の一側面の撮影方法は、画像の補正に関する補正データを取得する補正データ取得ステップと、前記補正データ取得ステップの処理によって取得された前記補正データを記録する記録ステップと、画像の撮影条件を取得する撮影条件取得ステップと、前記記録ステップにより記録されている前記補正データから、前記撮影条件取得ステップの処理によって取得された前記撮影条件に対応する前記補正データを検索する検索ステップと、前記検索ステップの処理によって検索された前記補正データに基づいて、画像を撮影する撮影ステップと含む。
【００１３】
本発明の一側面のプログラムは、画像の補正に関する補正データを取得する補正データ取得ステップと、前記補正データ取得ステップの処理によって取得された前記補正データの記録を制御する記録制御ステップと、画像の撮影条件を取得する撮影条件取得ステップと、前記記録制御ステップにより記録されている前記補正データから、前記撮影条件取得ステップの処理によって取得された前記撮影条件に対応する前記補正データを検索する検索ステップと、前記検索ステップの処理によって検索された前記補正データに基づいて、画像の撮影を制御する撮影制御ステップと含む処理をコンピュータに実行させる。
【００１４】
本発明の一側面においては、画像の補正に関する補正データが取得され、取得された補正データが記録され、画像の撮影条件が取得され、記録されている補正データから、取得された撮影条件に対応する補正データが検索され、検索された補正データに基づいて、非画像が撮影される。
【発明の効果】
【００１５】
本発明の一側面によれば、よりユーザの好みに合う画像を撮影することが可能となる。
【図面の簡単な説明】
【００１６】
【図１】本発明を適用した撮影装置の一実施の形態の構成例を示すブロック図である。
【図２】画像補正処理について説明するフローチャートである。
【図３】撮影時の画像補正処理について説明するフローチャートである。
【図４】撮影前の撮影パラメータ調整処理について説明するフローチャートである。
【図５】画像処理システムの構成例を示すブロック図である。
【図６】図５の画像処理システムにおける撮影装置の構成例を示すブロック図である。
【図７】図５の画像処理システムにおけるパーソナルコンピュータの構成例を示すブロック図である。
【図８】コンピュータのハードウェアの構成例を示すブロック図である。
【発明を実施するための形態】
【００１７】
以下、本発明の実施の形態について図を参照して説明する。なお、説明は以下の順序で行う。
１．第１の実施の形態（撮影装置単体の例）
２．第２の実施の形態（画像処理システムの例）
【００１８】
＜１．第１の実施の形態＞
［撮影装置の構成例］
図１は、本発明を適用した撮影装置の一実施の形態の構成例を示している。図１の撮影装置１１は、例えば、デジタルカメラや携帯電話機等の、撮影機能を有する電子機器である。
【００１９】
図１の撮影装置１１は、入力部３１、撮影部３２、制御部３３、記録部３４、および表示部３５から構成される。
【００２０】
入力部３１は、撮影装置１１に対する指示を入力するためにユーザに操作される。入力部３１は、例えば、各種の操作ボタン、キーボード、マウス、リモコン、タッチパネル、マイクロホンなどから構成され、ユーザからの操作を受け付け、その操作内容を示す信号（情報）を制御部３３に供給する。
【００２１】
撮影部３２は、CCD（Charge Coupled Device）またはCMOS（Complementary Metal-Oxide Semiconductor）センサ等の光学的な画像を電気信号に変換する光電変換素子、および、光電変換素子に被写体の光学的な画像を結像させる光学系等からなる。撮影部３２は、制御部３３の制御に基づいて、被写体の画像を電気信号である画像信号に変換し、すなわち、被写体を撮影し、得られた画像信号を、制御部３３に供給する。なお、以下においては、被写体を撮影することを、画像を撮影するなどともいう。
【００２２】
制御部３３は、例えば、マイクロプロセッサなどからなり、撮影装置１１全体を制御する。例えば、制御部３３は、撮影部３２からの画像信号に所定の処理を施し、得られた画像データと、画像データに関連する情報とを記録部３４に供給し、記録させる。また、制御部３３は、記録部３４から、画像データと、画像データに関連する情報とを読み出し、所定の処理を施し、得られた画像データを表示部３５に供給する。
【００２３】
制御部３３は、コンピュータプログラムを実行することにより、入力制御部５１、撮影制御部５２、画像処理部５３、表示制御部５４、補正データ取得部５５、撮影条件取得部５６、および補正データ検索部５７を実現する。
【００２４】
入力制御部５１は、入力部３１を制御し、ユーザの操作に応じた、入力部３１からのユーザの指示を示す信号を取得し、撮影制御部５２および画像処理部５３に供給する。
【００２５】
撮影制御部５２は、入力制御部５１または補正データ検索部５７からの信号（情報）に基づいて、撮影部３２を制御し、撮影部３２による被写体の撮影を制御する。撮影制御部５２は、撮影部３２から供給される画像信号から画像データを生成し、生成した画像データを画像処理部５３に供給する。
【００２６】
画像処理部５３は、撮影制御部５２からの画像データに、適宜、所定の処理を施して、記録部３４に供給する。また、画像処理部５３は、記録部３４から画像データを読み出し、適宜、所定の処理を施して、表示制御部５４に供給する。
【００２７】
画像処理部５３は、補正処理部５３ａを備えている。補正処理部５３ａは、入力制御部５１または補正データ検索部５７からの信号（情報）に基づいて、画像データに対して所定の補正処理を施す（画像を補正する）。このとき、補正処理部５３ａは、補正に関する補正データを生成する。
【００２８】
表示制御部５４は、表示部３５の表示を制御する。より具体的には、表示制御部５４は、画像処理部５３からの画像データを基に、画像を表示するための表示データを生成し、表示部３５に供給することで、表示部３５に画像を表示させる。
【００２９】
補正データ取得部５５は、画像処理部５３において生成された補正データを取得し、記録部３４に供給する。
【００３０】
撮影条件取得部５６は、撮影部３２における被写体の撮影の撮影条件を表す情報を、撮影制御部５２を介して撮影部３２から取得し、補正データ検索部５７に供給する。
【００３１】
補正データ検索部５７は、撮影条件取得部５６から供給される、撮影部３２における被写体の撮影の撮影条件を表す情報（以下、単に、撮影条件ともいう）に対応する補正データを、記録部３４に記録されている補正データから検索する。補正データ検索部５７は、検索された補正データに基づいて、画像データの補正を指示する信号を補正処理部５３ａに供給したり、撮影部３２の撮影を制御するための信号を撮影制御部５２に供給する。
【００３２】
記録部３４は、ハードディスクドライブ、所定のドライブに駆動されるDVD（Digital Versatile Disk）などの光ディスクおよびそのドライブ、またはメモリカードなどの半導体メモリなどからなる。記録部３４は、制御部３３からの画像データと、画像データに関連する情報と記録する。また、記録部３４は、画像記録部３４ａおよび補正データ記録部３４ｂを備えている。画像記録部３４ａは、制御部３３の画像処理部５３から供給されてくる画像データを記録し、補正データ記録部３４ｂは、制御部３３の補正データ取得部５５から供給されてくる補正データを記録する。
【００３３】
表示部３５は、LCD（Liquid Crystal Display）または有機EL（Electro Luminescence）などの表示デバイスからなり、制御部３３の制御に基づいて、各種の画像を表示する。
【００３４】
［撮影装置の画像補正処理］
次に、図２のフローチャートを参照して、撮影装置１１による画像補正処理について説明する。画像補正処理実行時、撮影装置１１の画像記録部３４ａには、撮影部３２によって撮影された画像が予め記録されているものとする。
【００３５】
撮影装置１１は、例えば、入力部３１が操作され、入力制御部５１が補正データ記録モードの選択の指示を取得すると処理を開始する。
【００３６】
ステップＳ１１において、入力部３１は、ユーザからの操作を受け付け、画像の補正の指示を入力する。入力制御部５１は、入力部３１からの、画像の補正の指示を示す信号（以下、単に、補正指示という）を、補正対象となる画像を特定する画像特定情報とともに取得し、画像処理部５３に供給する。
【００３７】
ステップＳ１２において、画像処理部５３は、入力制御部５１からの画像特定情報に基づいて、画像記録部３４ａから補正対象の画像データ（以下、単に、画像ともいう）を読み出す。
【００３８】
ステップＳ１３において、画像処理部５３の補正処理部５３ａは、入力制御部５１からの補正指示に基づいて、画像記録部３４ａから読み出した画像データに対して補正処理を施し（画像を補正し）、表示制御部５４に供給する。例えば、補正処理部５３ａは、画像記録部３４ａから読み出した画像に対して、露出補正や色調補正、トリミングやクリッピング（切り抜き）等の構図補正、歪み補正等の補正処理を施す。このとき、補正処理部５３ａは、上述した補正の内容を表す補正パラメータを生成するとともに、画像データに元々含まれている、画像が撮影されたときの情報である撮影情報を、画像データから抽出する。
【００３９】
ここで、撮影情報は、撮影部３２において被写体が撮影されたときの条件や、撮影部３２自体に設定される種々の定数を含む情報である。例えば、撮影部３２からの画像（画像信号）が、画像処理部５３によってJPEG（Joint Photographic Experts Group）方式で圧縮符号化された場合、撮影情報には、Exif（Exchangeable image file format）情報が含まれるものとする。Exif情報には、撮影日時、撮影装置のメーカ名、画像全体の解像度、撮影方向、シャッタスピード、絞り（Ｆ値）、ISO感度、測光モード、フラッシュの有無、露光補正ステップ値、および焦点距離等が含まれている。さらに、撮影情報には、Exif情報の他に、画像の構図や画像内の被写体の位置を表す構図情報や、ユーザによって設定される撮影モードを表す撮影モード情報等の、撮影部３２における被写体の撮影の条件を表す情報（撮影条件）が含まれるものとする。
【００４０】
以下では、撮影情報は、Exif情報と撮影条件とから構成されるものとして説明するが、Exif情報に限らず、例えば、画像処理部５３における画像処理に関する情報や、図示せぬGPS（Global Positioning System）装置からの位置情報等、その他の情報を含むように構成されてもよい。
【００４１】
ステップＳ１４において、表示制御部５４は、画像処理部５３からの、補正処理が施された画像データを基に、補正された画像を表示するための表示データを生成し、表示部３５に供給することで、表示部３５に画像を表示させる。
【００４２】
ステップＳ１５において、補正データ取得部５５は、補正処理部５３ａによって生成された補正パラメータと、補正処理部５３ａにおいて補正された画像の撮影情報を、補正データとして取得する。すなわち、補正に関する補正データは、補正パラメータととから構成される。
【００４３】
ステップＳ１６において、補正データ取得部５５は、補正処理部５３ａから取得した補正データを記録部３４の補正データ記録部３４ｂに供給し、記録させる。
【００４４】
以上の処理によれば、ユーザによって画像の補正が指示されると、その指示に応じて施される補正に関する補正データが記録される。
【００４５】
［撮影装置の撮影時画像補正処理］
次に、図３のフローチャートを参照して、撮影装置１１による撮影時の画像補正処理について説明する。撮影時の画像補正処理実行時、撮影装置１１の補正データ記録部３４ｂには、図２のフローチャートを参照して説明した補正データが記録されているものとする。
【００４６】
撮影装置１１は、例えば、入力部３１が操作され、入力制御部５１が補正データ適用モード（画像補正）の選択の指示を取得すると処理を開始する。
【００４７】
ステップＳ３１において、撮影部３２は、撮影制御部５２の制御に基づいて、被写体の画像を電気信号である画像信号に変換し、すなわち、被写体を撮影し、得られた画像信号を、撮影制御部５２に供給する。撮影制御部５２は、撮影部３２からの画像信号を画像処理部５３に供給する。
【００４８】
ステップＳ３２において、撮影条件取得部５６は、撮影部３２における被写体の撮影の撮影条件を表す情報（撮影条件）を、撮影制御部５２を介して撮影部３２から取得し、補正データ検索部５７に供給する。ここで取得される撮影条件には、例えば、画像の構図や画像内の被写体の位置を表す構図情報や、ユーザによって設定される撮影モードを表す撮影モード情報に加えて、撮影日時やシャッタスピード、絞り（Ｆ値）、焦点距離等、Exif情報に含まれる情報が含まれる。
【００４９】
ステップＳ３３において、補正データ検索部５７は、撮影条件取得部５６から供給された撮影条件に対応する補正データを、記録部３４の補正データ記録部３４ｂに記録されている補正データから検索する。より具体的には、補正データ検索部５７は、撮影条件取得部５６から供給された撮影条件と一致するかまたは類似する撮影条件を含む補正データを、補正データ記録部３４ｂに記録されている補正データから検索する。補正データ検索部５７は、検索された補正データの補正パラメータを補正処理部５３ａに供給する。
【００５０】
例えば、撮影条件取得部５６からの撮影条件に構図情報が含まれている場合、補正データ検索部５７は、その構図情報で表される構図に、より近い構図を表す構図情報を含む補正データを、補正データ記録部３４ｂから検索する。また、撮影条件取得部５６からの撮影条件に焦点距離が含まれている場合、補正データ検索部５７は、その焦点距離と同じ焦点距離を含むExif情報の補正データを、補正データ記録部３４ｂから検索する。なお、撮影条件取得部５６からの撮影条件と一致するかまたは類似する撮影条件を含む補正データが複数ある場合、例えば、撮影条件の類似度が最も高いものや、Exif情報の撮影日時が直近のものが検索されるようにしてもよい。
【００５１】
ステップＳ３４において、補正処理部５３ａは、補正データ検索部５７によって検索された補正データの補正パラメータに基づいて、撮影制御部５２からの画像データに対して所定の補正処理を施す（画像を補正する）。例えば、補正パラメータが色調補正についてのパラメータであった場合、補正処理部５３ａは、撮影制御部５２からの画像データに対して、補正パラメータで表される分の色調補正処理を施す。また、補正パラメータが歪み補正についてのパラメータであった場合、補正処理部５３ａは、撮影制御部５２からの画像データに対して、補正パラメータで表される分の歪み補正処理を施す。
【００５２】
ステップＳ３５において、表示制御部５４は、画像処理部５３の補正処理部５３ａにおいて補正処理が施された画像データを基に、補正された画像を表示するための表示データを生成し、表示部３５に供給することで、表示部３５に画像を表示させる。
【００５３】
ステップＳ３６において、画像処理部５３は、補正処理が施された画像データを、記録部３４の画像記録部３４ａに供給することで、補正された画像を、画像記録部３４ａに記録させる。
【００５４】
以上の処理によれば、画像が撮影されると、そのときの撮影条件に対応する補正データに基づいて、撮影した画像が補正される。したがって、ユーザが過去に補正した画像と同じような条件で撮影される画像に対して、過去に施した補正と同様の補正を施すことができるようになるので、よりユーザの好みに合う画像を撮影することが可能となる。
【００５５】
以上においては、画像の撮影時（撮影直後）に、撮影条件に応じて検索された補正データに基づいて、画像補正処理を行うようにしたが、画像の撮影前に、撮影条件に応じて検索された補正データに基づいて、撮影に関するパラメータ（撮影パラメータ）を調整するようにもできる。
【００５６】
［撮影装置の撮影パラメータ調整処理］
そこで、図４のフローチャートを参照して、撮影装置１１による撮影前の撮影パラメータ調整処理について説明する。撮影前の撮影パラメータ調整処理実行時、撮影装置１１の補正データ記録部３４ｂには、図２のフローチャートを参照して説明した補正データが記録されているものとする。
【００５７】
撮影装置１１は、例えば、入力部３１が操作され、入力制御部５１が補正データ適用モード（撮影パラメータ調整）の選択の指示を取得すると処理を開始する。
【００５８】
ステップＳ５１において、撮影条件取得部５６は、撮影部３２における被写体の撮影の撮影条件を表す情報（撮影条件）を、撮影制御部５２を介して撮影部３２から取得し、補正データ検索部５７に供給する。
【００５９】
ステップＳ５２において、補正データ検索部５７は、撮影条件取得部５６から供給された撮影条件に対応する補正データを、記録部３４の補正データ記録部３４ｂに記録されている補正データから検索する。より具体的には、補正データ検索部５７は、撮影条件取得部５６から供給された撮影条件と一致するかまたは類似する撮影条件を含む補正データを、補正データ記録部３４ｂに記録されている補正データから検索する。補正データ検索部５７は、検索された補正データの撮影情報を撮影制御部５２に供給する。
【００６０】
ステップＳ５３において、撮影制御部５２は、補正データ検索部５７によって検索された補正データの撮影情報に基づいて、撮影部３２における撮影に関するパラメータである撮影パラメータを調整する。ここで、撮影パラメータは、画像全体の解像度、撮影方向、シャッタスピード、絞り（Ｆ値）、ISO感度、測光モード、フラッシュの有無、露光補正ステップ値、および焦点距離等、Exif情報に含まれる値とされる。すなわち、撮影制御部５２は、撮影部３２における撮影パラメータが補正データ検索部５７からの補正データの撮影情報に含まれるExif情報と同一の値となるように、撮影パラメータを調整する。
【００６１】
ステップＳ５４において、入力部３１からユーザによる撮影の指示が入力されると、撮影部３２は、撮影制御部５２によって調整された撮影パラメータで、被写体を撮影し、得られた画像信号を、撮影制御部５２に供給する。撮影制御部５２は、撮影部３２からの画像信号を画像処理部５３に供給する。
【００６２】
ステップＳ５５において、表示制御部５４は、撮影制御部５２から画像処理部５３に供給された画像データを基に、撮影された画像を表示するための表示データを生成し、表示部３５に供給することで、表示部３５に画像を表示させる。
【００６３】
ステップＳ５６において、画像処理部５３は、撮影制御部５２から供給された画像データを、記録部３４の画像記録部３４ａに供給することで、撮影された画像を、画像記録部３４ａに記録させる。
【００６４】
以上の処理によれば、画像の撮影前に、そのときの撮影条件に対応する補正データに基づいて、撮影パラメータが調整される。したがって、ユーザが過去に補正した画像と同じような条件で撮影された画像に対して、過去に撮影したときと同様の条件で撮影することができるようになるので、よりユーザの好みに合う画像を撮影することが可能となる。
【００６５】
以上においては、撮影装置１１単体で、上述したような、補正データに基づいた処理を行う構成について説明してきた。そこで、例えば、撮影装置によって撮影された画像に対して、他の装置が画像補正処理を行い、その補正についての補正データを撮影装置に提供することで、撮影装置が補正データに基づいた処理を行う構成とすることもできる。
【００６６】
＜２．第２の実施の形態＞
［画像処理システムの構成例］
まず、図５を参照して、撮影装置によって撮影された画像に対して、パーソナルコンピュータが画像補正処理を行い、その補正に関する補正データを撮影装置に提供することで、撮影装置が補正データに基づいた処理を行う画像処理システムの構成について説明する。
【００６７】
図５の画像処理システムは、撮影装置１１１およびパーソナルコンピュータ１１２から構成される。撮影装置１１１とパーソナルコンピュータ１１２とは、例えば、USB（Universal Serial Bus）ケーブル等で接続されている。撮影装置１１１は、被写体を撮影し、得られた画像と、撮影についての撮影情報とを、パーソナルコンピュータ１１２に送信する。パーソナルコンピュータ１１２は、ユーザの操作に基づいて、撮影装置１１１からの画像に対して所定の補正を行うことで、補正データを生成し、撮影装置１１１に送信する。撮影装置１１１は、パーソナルコンピュータ１１２から送信されてきた補正データに基づいて、撮影時の画像補正処理や、撮影パラメータ調整処理を行う。
【００６８】
［撮影装置の他の構成例］
次に、図６を参照して、図５の画像処理システムにおける撮影装置１１１の構成について説明する。なお、図６の撮影装置１１１においては、図１の撮影装置１１に設けられたものと同様の機能を備える構成については、同一名称および同一符号を付するものとし、その説明は、適宜省略するものとする。
【００６９】
すなわち、図６の撮影装置１１１において、図１の撮影装置１１と異なるのは、制御部３３に代えて制御部１３１を設け、通信部１３２を新たに設けた点である。また、図６の制御部１３１において、図１の制御部３３と異なるのは、通信制御部１５１を新たに設けた点である。
【００７０】
通信部１３２は、通信制御部１５１の制御に基づいて、パーソナルコンピュータ１１２との通信を行う。
【００７１】
通信制御部１５１は、通信部１３２における通信を制御する。より具体的には、通信制御部１５１は、画像記録部３４ａに記録されている画像と、対応する撮影情報を取得し、通信部１３２に、パーソナルコンピュータ１１２に対して送信させる。また、通信制御部１５１は、パーソナルコンピュータ１１２から送信されてきた補正データを通信部１３２に受信させ、補正データ取得部５５を介して、補正データ記録部３４ｂに供給する。
【００７２】
以上の構成により、撮影装置１１１は、画像と、その画像に対応する撮影情報をパーソナルコンピュータ１１２に送信し、これに応じてパーソナルコンピュータ１１２から送信されてくる補正データを受信し、記録することができる。
【００７３】
［パーソナルコンピュータの構成例］
次に、図７を参照して、図５の画像処理システムにおけるパーソナルコンピュータ１１２の構成について説明する。なお、図７のパーソナルコンピュータ１１２においては、図１の撮影装置１１に設けられたものと同様の機能を備える構成については、同一名称および同一符号を付するものとし、その説明は、適宜省略するものとする。
【００７４】
すなわち、図７のパーソナルコンピュータ１１２において、図１の撮影装置１１と異なるのは、撮影部３２を削除し、通信部２３１を新たに設け、制御部３３に代えて制御部２３２を設けた点である。また、図７の制御部２３２において、図１の制御部３３と異なるのは、撮影制御部５２、撮影条件取得部５６、および補正データ検索部５７を削除し、通信制御部２５１を新たに設けた点である。
【００７５】
通信部２３１は、通信制御部２５１の制御に基づいて、撮影装置１１１との通信を行う。
【００７６】
通信制御部２５１は、通信部２３１における通信を制御する。より具体的には、通信制御部２５１は、撮影装置１１１から送信されてくる画像および撮影情報を通信部２３１に受信させ、画像記録部３４ａに供給する。また、通信制御部２５１は、補正データ記録部３４ｂに記録されている補正データを取得し、通信部２３１に、撮影装置１１１に対して送信させる。
【００７７】
以上の構成により、パーソナルコンピュータ１１２は、撮影装置１１１から送信されてきた画像に対して所定の補正を行い、その補正に関する補正データを撮影装置１１１に送信することができる。
【００７８】
［画像処理システムにおけるパーソナルコンピュータの画像補正処理］
次に、画像処理システムにおけるパーソナルコンピュータ１１２による画像補正処理について説明する。画像補正処理実行時、パーソナルコンピュータ１１２の画像記録部３４ａには、撮影装置１１１から送信されてきた画像が予め記録されているものとする。
【００７９】
なお、パーソナルコンピュータ１１２による画像補正処理は、図２を参照して説明した画像補正処理において、ステップＳ１６の後に、通信制御部２５１が、補正データ記録部３４ｂに記録されている補正データを取得し、通信部２３１に、撮影装置１１１に対して送信させる以外は、撮影装置１１の処理と同様であるので、その説明は省略する。
【００８０】
［画像処理システムにおける撮影装置の撮影時画像補正処理］
次に、画像処理システムにおける撮影装置１１１による撮影時画像補正処理について説明する。撮影時の画像補正処理実行時、撮影装置１１１の補正データ記録部３４ｂには、パーソナルコンピュータ１１２から送信されてきた補正データが記録されているものとする。
【００８１】
なお、撮影装置１１１による撮影時画像補正処理は、図３を参照して説明した、撮影装置１１による撮影時画像補正処理と同様であるので、その説明は省略する。
【００８２】
［画像処理システムにおける撮影装置の撮影パラメータ調整処理］
また、画像処理システムにおける撮影装置１１１による撮影パラメータ調整処理も、撮影時画像補正処理と同様に、図４を参照して説明した、撮影装置１１による撮影パラメータ調整と同様であるので、その説明は省略する。
【００８３】
したがって、図６の撮影装置１１１においても、図１の撮影装置１１と同様の作用効果を奏することができる。
【００８４】
なお、図５において、撮影装置１１１の接続相手は、パーソナルコンピュータ１１２であるものして説明したが、これに限らず、例えば、画像を印刷するプリンタ等、ユーザの操作に基づいて画像を補正する電子機器であればよい。また、撮影装置１１１と、サーバとしてのパーソナルコンピュータ１１２とを、インターネットを介して接続するようにして、インターネットに接続されている他の端末装置からサーバに記録（保存）されている画像を補正するようにしてもよい。
【００８５】
また、以上においては、撮影条件に対応する補正データに基づいて、撮影装置が、撮影した画像を補正したり、撮影パラメータを調整するようにしたが、例えば、撮影装置が、画像の補正の内容や設定すべき撮影パラメータをユーザに対して提示することで、ユーザが、画像を補正したり、撮影パラメータを調整するようにしてもよい。
【００８６】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ等に、プログラム記録媒体からインストールされる。
【００８７】
図８は、上述した一連の処理をプログラムにより実行するコンピュータのハードウェアの構成例を示すブロック図である。
【００８８】
コンピュータにおいて、CPU（Central Processing Unit）９０１，ROM（Read Only Memory）９０２，RAM（Random Access Memory）９０３は、バス９０４により相互に接続されている。
【００８９】
バス９０４には、さらに、入出力インタフェース９０５が接続されている。入出力インタフェース９０５には、キーボード、マウス、マイクロホン等よりなる入力部９０６、ディスプレイ、スピーカ等よりなる出力部９０７、ハードディスクや不揮発性のメモリ等よりなる記憶部９０８、ネットワークインタフェース等よりなる通信部９０９、磁気ディスク、光ディスク、光磁気ディスク、或いは半導体メモリ等のリムーバブルメディア９１１を駆動するドライブ９１０が接続されている。
【００９０】
以上のように構成されるコンピュータでは、CPU９０１が、例えば、記憶部９０８に記憶されているプログラムを、入出力インタフェース９０５およびバス９０４を介して、RAM９０３にロードして実行することにより、上述した一連の処理が行われる。
【００９１】
コンピュータ（CPU９０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリ等よりなるパッケージメディアであるリムーバブルメディア９１１に記録して、あるいは、ローカルエリアネットワーク、インターネット、デジタル衛星放送といった、有線または無線の伝送媒体を介して提供される。
【００９２】
そして、プログラムは、リムーバブルメディア９１１をドライブ９１０に装着することにより、入出力インタフェース９０５を介して、記憶部９０８にインストールすることができる。また、プログラムは、有線または無線の伝送媒体を介して、通信部９０９で受信し、記憶部９０８にインストールすることができる。その他、プログラムは、ROM９０２や記憶部９０８に、あらかじめインストールしておくことができる。
【００９３】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００９４】
また、本発明の実施の形態は、上述した実施の形態に限定されるものではなく、本発明の要旨を逸脱しない範囲において種々の変更が可能である。
【００９５】
また、本明細書において、システムとは、複数の装置により構成される装置全体を表すものである。
【符号の説明】
【００９６】
１１  撮影装置，  ３２  撮影部，  ３３  制御部，  ３４  記録部，  ３４ａ  画像記録部，  ３４ｂ  補正データ記録部，  ５２  撮影制御部，  ５３  画像処理部，  ５３ａ  補正処理部，  ５５  補正データ取得部，  ５６  撮影条件取得部，  ５７  補正データ検索部，  １１１  撮影装置，  １１２  パーソナルコンピュータ
【図１】
2010251817.tif 000003
【図２】
2010251817.tif 000004
【図３】
2010251817.tif 000005
【図４】
2010251817.tif 000006
【図５】
2010251817.tif 000007
【図６】
2010251817.tif 000008
【図７】
2010251817.tif 000009
【図８】
2010251817.tif 000010